(57)【要約】【課題】残存型枠１１の軽量化を促進して、残存型枠１１の取付作業の能率を向上させると共に、残存型枠１１の成形に必要な成形金型の構成を簡略化して、残存型枠１１の製造コストの低減を図ること。【解決手段】床版３の外端部にコンクリート製の残存型枠１１が立設され、残存型枠１１の内側面にコンクリート壁２７が一体的に接合され、残存型枠１１の内側面の上端側にコンクリート壁２７の上面に近接した下部シール保持板３３が残存型枠１１の幅方向に沿って横断するように設けられ、下部シール保持板３３の下面とコンクリート壁２７の上面の間に下部シール材３５が設けられていること。【選択図】図１
2009161947.tif 000002
【特許請求の範囲】
【請求項１】
建築物の基礎版に構築された壁構造において、
前記基礎版の外端部に立設されたコンクリート製の残存型枠と、
前記残存型枠の内側面に一体的に接合され、前記残存型枠と前記残存型枠の内側に配置した内側型枠との間にコンクリートを打設することによって形成されたコンクリート壁と、
前記残存型枠の内側面の上端側に前記残存型枠の幅方向に沿って横断するように設けられ、前記コンクリート壁の上面に近接したシール保持板と、
前記シール保持板の下面と前記コンクリート壁の上面の間に設けられたシール材と、を具備したことを特徴とする壁構造。
【請求項２】
前記シール保持板は、先端側が徐々に低くなるように水平方向に対して傾斜していることを特徴とする請求項１に記載の壁構造。
【請求項３】
前記残存型枠は、コンクリートからなる型枠本体と、前記型枠本体に埋設されかつ前記型枠本体を補強する補強骨材とを備え、
前記前記シール部材の基端部は、前記補強部材に一体的に接合されていることを特徴とする請求項１又は請求項２に記載の壁構造。
【発明の詳細な説明】
【技術分野】
【０００１】
本発明は、例えば橋梁、土留め等の建築物の基礎版に構築された壁構造に関する。
【背景技術】
【０００２】
建築物の床版（基礎版の一例）に構築された壁構造の先行技術として、特許文献１に示すものがあり、先行技術に係る壁構造の構成について簡単に説明すると、次のようになる。
【０００３】
即ち、床版（特許文献１では床部(5)）の外端部には、コンクリート製の残存型枠（特許文献１ではハーフプレキャスト壁部材(1)）が立設されており、この残存型枠の内側面の上端側には、床版の内方向へ突出した突出部（特許文献１では飛散防止壁部(2)）が一体形成されている。また、残存型枠の内側面には、コンクリート壁が接合されており、このコンクリート壁は、残存型枠と残存型枠の内側に配置した内側型枠（特許文献１では内側型枠(15)）との間にコンクリートを打設することによって形成されたものであって、コンクリート壁の上面は、残存型枠の突出部の下面に近接してある。
【０００４】
残存型枠の突出部の下面とコンクリート壁の上面との間には、シール材（特許文献１ではシール材(21)）が設けられている。これにより、紫外線によるシール材の劣化を抑えつつ、シール材によって残存型枠とコンクリート壁との接合部への雨水の侵入を長期に亘って防止することができる。
【特許文献１】特許第３６３６９６０号公報
【発明の開示】
【発明が解決しようとする課題】
【０００５】
ところで、先行技術に係る壁構造にあっては、前述のように、シール材によって残存型枠とコンクリート壁との接合部への雨水の侵入を長期に亘って防止するためには、残存型枠の構成要素として突出部が不可欠である。一方、残存型枠の内側面の上端側に突出部を一体形成すると、残存型枠の重量が増大して、残存型枠の取付作業が煩雑化する共に、残存型枠に成形に必要な成形金型の構成が複雑化して、残存型枠の製造コスト、換言すれば、壁構造の構築コストが高くなるという問題がある。
【０００６】
そこで、本発明は、前述の問題を解決することができる、新規な構成の壁構造を提供することを目的とする。
【課題を解決するための手段】
【０００７】
本発明の特徴は、建築物の基礎版に構築された壁構造において、前記基礎版の外端部に立設されたコンクリート製の残存型枠と、前記残存型枠の内側面に一体的に接合され、前記残存型枠と前記残存型枠の内側に配置した内側型枠との間にコンクリートを打設することによって形成されたコンクリート壁と、前記残存型枠の内側面の上端側に前記残存型枠の幅方向に沿って横断するように設けられ、前記コンクリート壁の上面に近接したシール保持板と、前記シール保持板の下面と前記コンクリート壁の上面の間に設けられ、上方向からみたときに前記シール保持板に覆われているシール材と、を具備したことを要旨とする。
【０００８】
なお、前記基礎板とは、床版を含む意である
本発明の特徴によると、前記残存型枠の内側面の上端側に前記シール保持板が前記残存型枠の幅方向に沿って横断するように設けられ、前記シール保持板の下面と前記コンクリート壁の上面の間に前記シール材が設けられているため、前記残存型枠の内側面に前記床版の内方向へ突出した突出部を一体形成することなく、紫外線による前記シール材の劣化を抑えつつ、前記シール材によって前記残存型枠と前記コンクリート壁との接合部への雨水の侵入を長期に亘って防止することができる。
【発明の効果】
【０００９】
本発明によれば、前記残存型枠の内側面に前記突出部を一体形成することなく、前記シール材によって前記残存型枠と前記コンクリート壁との接合部への雨水の侵入を長期に亘って防止することができるため、前記残存型枠の軽量化を促進して、前記残存型枠の取付作業の能率を向上させると共に、前記残存型枠の成形に必要な成形金型の構成を簡略化して、前記残存型枠の製造コスト、換言すれば、前記壁構造の構築コストの低減を図ることができる。
【発明を実施するための最良の形態】
【００１０】
本発明の実施形態について図１から図６を参照して説明する。
【００１１】
ここで、図１は、本発明の実施形態に係る壁構造の断面図、図２は、上部シール保持板及び下部シール保持板が取付けられた状態の残存型枠を裏からみた図、図３は、図２を上から見た図、図４は、図２におけるIV-IV線に沿った図、図５は、図１における矢視部Vの拡大図、図６は、図１における矢視部VIの拡大図である。
【００１２】
図１に示すように、本発明の実施形態に係る壁構造１は、橋梁の床版３に構築された構造であって、壁構造１の具体的な構成等は、以下のようになる。なお、壁構造１の周辺構造である床版３は、橋梁の橋桁（図示省略）に設けられた底板５と、この底板５の上面に設けられかつ底板５を補強するＨ形鋼材７と、底板５の上面に一体的に接合されたコンクリート床９とを備えおり、コンクリート床９は、底板５の上側にコンクリートを打設することによって形成されたものである。
【００１３】
底板５の外端部には、複数（１つのみ図示）のコンクリート製の残存型枠１１が一対（１つのみ図示）のブラケット１３を介してそれぞれ立設されており、複数の残存型枠１１は、連結具（図示省略）によって一体的に連結されている。また、各残存型枠１１の下端側は、底板５よりも下方向へ突出してある。そして、壁構造１の主要な構成要素である残存型枠１１の具体的な構成は、次のようになる。
【００１４】
図２から図４に示すように、残存型枠１１は、四角形状の型枠本体１５を備えており、この型枠本体１５は、コンクリートからなるものである。そして、型枠本体１５の略全領域には、型枠本体１５を補強する鉄筋又は網状体等の補強骨材１７が埋設されており、この補強骨材１７は、鉄又はステンレス等からなるものである。また、補強骨材１７は、表面に、防食塗装が施されている。
【００１５】
補強骨材１７には、上下方向（型枠本体１５の高さ方向）へ延びた一対の溝形鋼材（形鋼材の１つ）１９が溶接等によって一体的に接合されており、各溝形鋼材１９の一部分（本発明の実施形態にあっては、溝形鋼材１９の短辺方向の長さｍの半分程度）は、型枠本体１５の内側面（裏面）から露出している。また、各溝形鋼材１９には、複数の取付穴２１が間隔を置いて形成されており、複数の取付穴２１は、前記連結具等の取付に用いられるものである。更に、各溝形鋼材１９は、表面に、防食塗装が施されている。なお、上下方向へ延びた一対の溝形鋼材１９の他に、型枠本体１５の幅方向へ延びた複数の溝形鋼材が補強骨材１７に一対の溝形鋼材１９を連結するように接合されたり、溝形鋼材１９の代わりに、Ｈ形鋼材等の別の形鋼材を用いたりしても構わない。
【００１６】
各溝形鋼材１９の下端側には、取付金具２３が固定されており、各取付金具２３は、対応するブラケット１３に複数の締結ボルト２５によって締結可能になっている（図１参照）。
【００１７】
図１に示すように、複数の残存型枠１１の内側面には、コンクリート壁２７が一体的に接合されており、このコンクリート壁２７の上面は、床版３の内方向に向かって徐々に低くなるように水平方向に対して傾斜している。また、コンクリート壁２７は、残存型枠１１と残存型枠１１の内側にセパレート（図示省略）等を介して配置した木製の内側型枠２９との間にコンクリートを打設することによって形成されたものであって、木製の内側型枠２９は、壁構造１の構築後に撤去されるものである。更に、コンクリート壁２７には、コンクリート壁２７を補強する鉄筋ユニット３１が適宜に埋設されている。
【００１８】
図１及び図６に示すように、各残存型枠１１における型枠本体１５の内側面の下端側には、下部シール保持板３３が残存型枠１１の幅方向に沿って横断するように設けられており、各下部シール保持板３３の基端部は、対応する残存型枠１１における補強骨材１７に溶接等によって一体的に接合されている。また、各下部シール保持板３３は、鉄等からなるものであって、底板５の上面に近接している。更に、各下部シール保持板３３は、表面に、防食塗装が施されてあって、各下部シール保持板３３の先端部は、水平方向（換言すれば、型枠本体１５の厚み方向）に対して上向きに傾斜している。そして、各下部シール保持板３３の下面と底板５の上面との間には、下部シール材３５が挟持されるように設けられている。なお、下部シール材３５は、合成ゴムからなるシール板３５ａと、合成ゴム又は合成樹脂からなるペースト状のコーキング材３５ｂである。
【００１９】
図１及び図５に示すように、各残存型枠１１における型枠本体１５の内側面の上端側には、上部シール保持板３７が残存型枠１１の幅方向に沿って横断するように設けられており、各上部シール保持板３７の基端部は、対応する残存型枠１１における補強骨材１７に溶接等によって一体的に接合されている。また、各上部シール保持板３７は、鉄等からなるものであって、コンクリート壁２７の上面に近接している。更に、各上部シール保持板３７は、表面に、防食塗装が施されてあって、先端側が低くなるように水平方向に対して傾斜している。そして、各上部シール保持板３７の下面とコンクリート壁２７の上面との間には、上部シール材３９が設けられており、各上部シール材は、上方向からみたときに上部シール保持板３７に覆われている。なお、上部シール材３９は、合成ゴム又は合成樹脂からなるペースト状のコーキング材である。
【００２０】
続いて、本発明の実施形態の作用及び効果について説明する。
【００２１】
各上部シール保持板３７の下面とコンクリート壁２７の上面との間に上部シール材３９が設けられてあって、コンクリート壁２７の上面が床版３の内方向に向かって徐々に低くなるように水平方向に対して傾斜しているため、残存型枠１１における型枠本体１５の内側面に床版３の内方向へ突出した突出部を一体形成することなく、紫外線による上部シール材３９の劣化を抑えつつ、残存型枠１１とコンクリート壁２７との接合部への雨水の侵入を長期に亘って防止することができる（雨水の侵入防止作用）。特に、各上部シール保持板３７は、先端側が低くなるように水平方向に対して傾斜しているため、各上部シール保持板３７の先端は残存型枠１１における型枠本体１５の内側面上の雨水を切ることができ、雨水の浸入防止作用を高めることができる。
【００２２】
また、各下部シール保持板３３の下面と底板５の上面との間に下部シール材３５が挟持されるように設けられているため、残存型枠１１の内側に打設されたコンクリート（具体的には、床版３におけるコンクリート床９を形成する際に打設されたコンクリート）が残存型枠１１と底板５の隙間から漏れることを防止できる（打設コンクリートの漏れ防止作用）。特に、各下部シール保持板３３の先端部は、水平方向に対して上向きに傾斜しているため、残存型枠１１の内側に打設されたコンクリートの内圧によって、下部シール保持板３３の先端部によるくさび効果が働いて、打設コンクリートの漏れ防止作用を高めることができる。
【００２３】
更に、各下部シール保持板３３の基端部及び各上部シール保持板３７の基端部が対応する残存型枠１１における補強骨材１７に一体的に溶接等によって接合されているため、各下部シール保持板３３及び各上部シール保持板３７を残存型枠１１に強固に固定することができる。
【００２４】
以上の如き、本発明の実施形態によれば、残存型枠１１における型枠本体１５の内側面に床版３の内方向へ突出した突出部を一体形成することなく、紫外線による上部シール材３９の劣化を抑えつつ、残存型枠１１とコンクリート壁２７との接合部への雨水の侵入を長期に亘って防止することができるため、残存型枠１１の軽量化を促進して、残存型枠１１の取付作業の能率を向上させると共に、残存型枠１１の成形に必要な成形金型の構成を簡略化して、残存型枠１１の製造コスト、換言すれば、壁構造１の構築コストの低減を図ることができる。
【００２５】
また、残存型枠１１の内側に打設されたコンクリートが残存型枠１１と底板５の隙間から漏れることを十分に防止できるため、壁構造１の構築作業の煩雑化を抑えることができる。
【００２６】
更に、各下部シール保持板３３及び各上部シール保持板３７を残存型枠１１に強固に固定できるため、壁構造１の構築作業中に、各下部シール保持板３３及び各上部シール保持板３７が残存型枠１１から離脱することを防止することができる。
【００２７】
なお、本発明は、前述の実施形態の説明に限られるものではなく、例えば、各下部シール保持板３３の基端部及び各上部シール保持板３７の基端部が残存型枠１１における補強骨材１７に溶接等によって一体的に接合されないようにしたり、橋梁の床版３に構築された壁構造１の具体的な構成を、土留め等の橋梁以外の建築物の基礎版に構築された壁構造に適用したりする等、その他、種々の態様で実施可能である。また、本発明に包含される権利範囲は、これらの実施形態に限定されないものである。
【図面の簡単な説明】
【００２８】
【図１】本発明の実施形態に係る壁構造の断面図である。
【図２】上部シール保持板及び下部シール保持板が取付けられた状態の残存型枠を裏からみた図である。
【図３】図２を上から見た図である。
【図４】図２におけるIV-IV線に沿った図である。
【図５】図１における矢視部Vの拡大図である。
【図６】図１における矢視部VIの拡大図である。
【符号の説明】
【００２９】
１        壁構造
３        床版
５        底板
９        コンクリート床
１１        残存型枠
１５        型枠本体
２７        コンクリート壁
２９        内側型枠
３３        下部シール保持板
３５        下部シール材
３５ａ      シール板
３５ｂ      コーキング材
３７        上部シール保持板
３９        上部シール材
【図１】
2009161947.tif 000003
【図２】
2009161947.tif 000004
【図３】
2009161947.tif 000005
【図４】
2009161947.tif 000006
【図５】
2009161947.tif 000007
【図６】
2009161947.tif 000008